(57)【特許請求の範囲】
【請求項１】
被検者に視認させる視力検査用の視標一覧表が表示される視標面を有する視標表示部と、該視標表示部に表示させる視標を選択可能となるように操作者が操作できる操作部と、制御部とを具備する視力検査装置であって、
前記操作者が視標を選択可能な表であり、前記操作部に示される視標配置表は、
同じ視力値を測定する複数の視標からなる視標グループ内の視標であり、前記視標面に収まらずに前記視標面から仮想的に横方向にはみ出す位置に配置される視標を有する視標配置表であるか、
または、
前記視標面に収まらずに前記視標面から仮想的に縦方向にはみ出す位置に配置される視標と、同じ視力値を測定する複数の視標からなる視標グループ内の視標であり、前記視標面に収まらずに前記視標面から仮想的に横方向にはみ出す位置に配置される視標とを有する視標配置表であり、
前記操作部または前記制御部は、
前記視標一覧表を自動的に生成する生成手段を有し、
前記制御部は、
前記視標一覧表が前記視標面に表示されるように制御し、前記視標面に収まらずに前記視標面から仮想的に横方向にはみ出した位置にある前記視標グループ内の視標が前記操作部に示される前記視標配置表から選択された場合に、選択された前記視標面に収まらずに横方向に前記視標面からはみ出した位置の視標が横方向に移動されて前記視標面内に収まって表示されるように制御することを特徴とする視力検査装置。
【請求項２】
被検者に視認させる視力検査用の視標一覧表が表示される視標面を有する視標表示部と、該視標表示部に表示させる視標を選択可能となるように操作者が操作できる操作部と、制御部とを具備する視力検査装置であって、
前記操作者が視標を選択可能な表であり、前記操作部に示される視標配置表は、
同じ視力値を測定する複数の視標からなる視標グループ内の視標であり、前記視標面に収まらずに前記視標面から仮想的に横方向にはみ出す位置に配置される視標を有する視標配置表であるか、
または、
前記視標面に収まらずに前記視標面から仮想的に縦方向にはみ出す位置に配置される視標と、同じ視力値を測定する複数の視標からなる視標グループ内の視標であり、前記視標面に収まらずに前記視標面から仮想的に横方向にはみ出す位置に配置される視標とを有する視標配置表であり、
前記操作部または前記制御部は、
前記視標配置表に対応する前記視標一覧表が記憶されている記憶部を有し、
前記制御部は、
前記視標一覧表が前記視標面に表示されるように制御し、前記視標面に収まらずに前記視標面から仮想的に横方向にはみ出した位置にある前記視標グループ内の視標が前記操作部に示される前記視標配置表から選択された場合に、選択された前記視標面に収まらずに横方向に前記視標面からはみ出した位置の視標が横方向に移動されて前記視標面内に収まって表示されるように制御することを特徴とする視力検査装置。
【請求項３】
前記制御部は、
前記視標面に複数の前記視標グループが、複数段で表示されるように制御可能であり、
前記視標面から横方向にはみ出した位置に配置された前記視標グループ内の視標が前記操作部から選択された場合に、横方向にはみ出した位置に配置された視標を有する複数の視標グループ同士を連動させ、前記視標面からはみ出した位置の視標が、横方向に移動されて、前記視標面内に表示されるように制御することを特徴とする請求項１または請求項２に記載の視力検査装置。
【請求項４】
前記制御部は、
前記視標表示部に配置される複数の視標があらかじめ黒色で表示されるように制御し、背景がグレーで表示されるように制御し、前記操作部から送信された信号であり、前記操作部から選択された視標に応じた前記信号を受けた場合に、前記視標表示部に表示される選択された視標の周辺部が、前記背景とは異なる色で明るく表示されるように制御することを特徴とする請求項１から請求項３のいずれか一項に記載の視力検査装置。
【発明の詳細な説明】
【技術分野】
【０００１】
本発明は、被検者の視力を検査する視力検査装置に関する。
【背景技術】
【０００２】
被検者の視力を検査する視力検査装置として、複数個の検査用の視標があらかじめ描かれていて、判読させる視標を他の視標と区別して表示させるものがある。視力検査用の視標が描かれたフィルムを有し、蛍光体を発光させてフィルムに光を照射する視力検査装置が特許文献１に記載されている。また、検査用の視標を複数個印刷した半透明板の背面から個別に照射する光源を設けて、特定の視標を照射して判読させる視力検査装置が特許文献２に記載されている。
【先行技術文献】
【特許文献】
【０００３】
【特許文献１】特開平８−１９５１８号公報
【特許文献２】特開２００１−７８９６３号公報
【発明の概要】
【発明が解決しようとする課題】
【０００４】
特許文献１、２に記載された従来型の視力検査装置は、０．１の視力を測定するために設けられているランドルト環の視標が３個描かれている。従来の視力検査装置で用いられる視標一覧表は、限られた面積で全体を表示しなくてはならないので、例えば０．１の視力を測定するための視標のように、視標が大きい場合に同じ大きさの視標を水平方向（横方向）に５個は配置できず、３個しか配置できない。さらに低視力を測定するための大きい視標では２個、１個しか配置できない。また、視力の判定には、形状が異なる同じ大きさの視標を複数回測定し、過半数以上の視標が判別できればその視力値であると判定している。このため、より正確な視力を判定するには、測定する回数を増やし、大きい視標でも形状が異なる視標を５個配置できることが好ましい。
【０００５】
そこで本発明は上記課題を解決するためになされたもので、その目的とするところは、より正確な視力値を判定できる視力検査装置を提供することにある。
【課題を解決するための手段】
【０００６】
上記の目的を達成するため、本発明の視力検査装置は次の構成を備える。すなわち本発明は、被検者に視認させる視力検査用の視標一覧表が表示される視標面を有する視標表示部と、該視標表示部に表示させる視標を選択可能となるように操作者が操作できる操作部と、制御部とを具備する視力検査装置であって、前記操作者が視標を選択可能な表であり、前記操作部に示される視標配置表は、同じ視力値を測定する複数の視標からなる視標グループ内の視標であり、前記視標面に収まらずに前記視標面から仮想的に横方向にはみ出す位置に配置される視標を有する視標配置表であるか、または、前記視標面に収まらずに前記視標面から仮想的に縦方向にはみ出す位置に配置される視標と、同じ視力値を測定する複数の視標からなる視標グループ内の視標であり、前記視標面に収まらずに前記視標面から仮想的に横方向にはみ出す位置に配置される視標とを有する視標配置表であり、前記操作部または前記制御部は、前記視標一覧表を自動的に生成する生成手段を有し、前記制御部は、前記視標一覧表が前記視標面に表示されるように制御し、前記視標面に収まらずに前記視標面から仮想的に横方向にはみ出した位置にある前記視標グループ内の視標が前記操作部に示される前記視標配置表から選択された場合に、選択された前記視標面に収まらずに横方向に前記視標面からはみ出した位置の視標が横方向に移動されて前記視標面内に収まって表示されるように制御することを特徴とする。この構成によれば、視標面からはみ出す位置にある視標が移動して視標面に表示でき、同一サイズの視標を従来よりも多く視標面に表示させることができるので、より正確な視力値を判定できる。特に低い視力であってもより正確な視力値を判定できる。また、自動生成された視標一覧表を視標面に表示させることができる。
【０００７】
また、本発明の視力検査装置は次の構成を備える。すなわち本発明は、被検者に視認させる視力検査用の視標一覧表が表示される視標面を有する視標表示部と、該視標表示部に表示させる視標を選択可能となるように操作者が操作できる操作部と、制御部とを具備する視力検査装置であって、前記操作者が視標を選択可能な表であり、前記操作部に示される視標配置表は、同じ視力値を測定する複数の視標からなる視標グループ内の視標であり、前記視標面に収まらずに前記視標面から仮想的に横方向にはみ出す位置に配置される視標を有する視標配置表であるか、または、前記視標面に収まらずに前記視標面から仮想的に縦方向にはみ出す位置に配置される視標と、同じ視力値を測定する複数の視標からなる視標グループ内の視標であり、前記視標面に収まらずに前記視標面から仮想的に横方向にはみ出す位置に配置される視標とを有する視標配置表であり、前記操作部または前記制御部は、前記視標配置表に対応する前記視標一覧表が記憶されている記憶部を有し、前記制御部は、前記視標一覧表が前記視標面に表示されるように制御し、前記視標面に収まらずに前記視標面から仮想的に横方向にはみ出した位置にある前記視標グループ内の視標が前記操作部に示される前記視標配置表から選択された場合に、選択された前記視標面に収まらずに横方向に前記視標面からはみ出した位置の視標が横方向に移動されて前記視標面内に収まって表示されるように制御することを特徴とする。この構成によれば、視標面からはみ出す位置にある視標が移動して視標面に表示できるので、より正確な視力値を判定できる。特に低い視力であってもより正確な視力値を判定できる。また、記憶された視標一覧表を視標面に表示させることができる。
【０００８】
また、本発明において、前記制御部は、前記視標面に複数の前記視標グループが、複数段で表示されるように制御可能であり、前記視標面から横方向にはみ出した位置に配置された前記視標グループ内の視標が前記操作部から選択された場合に、横方向にはみ出した位置に配置された視標を有する複数の視標グループ同士を連動させ、前記視標面からはみ出した位置の視標が、横方向に移動されて、前記視標面内に表示されるように制御する。これによれば、異なるサイズの視標も視標面に表示させることができる。また、上段または下段の視標グループと連動させることができ、連動して横方向に移動するので、周囲の視標も移動して、周囲の視標の配置が理解されやすくなる。
【０００９】
また、本発明において、前記制御部は、前記視標表示部に配置される複数の視標があらかじめ黒色で表示されるように制御し、背景がグレーで表示されるように制御し、前記操作部から送信された信号であり、前記操作部から選択された視標に応じた前記信号を受けた場合に、前記視標表示部に表示される選択された視標の周辺部が、前記背景とは異なる色で明るく表示されるように制御する。これによれば、背景の色と視標の色とのコントラストが低いため、被検者が読み取らない視標も視認可能となる。一方、読み取らせる視標は、その視標の周辺部を明るくし、背景とのコントラストよりも高いコントラストにすることで、被検者は認識できるようになり、読み取ることができる。
【発明の効果】
【００１０】
本発明の視力検査装置によれば、視標面に収まらず表示されない視標でも、移動させて視標面に表示させることができ、被検者に視認させることができる。また、低い視力値であっても測定する回数を増やし、より正確な視力値を判定できる視力検査装置を提供することができる。
【図面の簡単な説明】
【００１１】
【図１】本実施形態の視力検査装置に用いられる視標面であり、視標面に表示される視標一覧表の一例である。
【図２】視標配置表の一例であり、視力値と共に各視標が所定の配列で配置された状態である。
【図３】本実施形態の視力検査装置のブロック図である。
【図４】視標面に表示される視標一覧表の他の一例である。
【図５】視標面に表示される視標一覧表の他の一例である。
【図６】０．１の視標グループを選択した場合の視標面に表示される視標一覧表を示した説明図であり、０．１−ａ〜ｅを選択した場合を（Ａ）〜（Ｅ）に示す。
【図７】０．０８の視標グループを選択した場合の視標面に表示される視標一覧表を表示した説明図であり、０．０８−ａ〜ｅを選択した場合を（Ａ）〜（Ｅ）に示す。
【図８】０．０６の視標グループを選択した場合の視標面に表示される視標一覧表を表示した説明図であり、０．０６−ａ〜ｅを選択した場合を（Ａ）〜（Ｅ）に示す。
【図９】０．０５の視標グループを選択した場合の視標面に表示される視標一覧表を表示した説明図であり、０．０５−ａ〜ｅを選択した場合を（Ａ）〜（Ｅ）に示す。
【図１０】０．０４の視標グループを選択した場合の視標面に表示される視標一覧表を示した説明図であり、０．０４−ａ〜ｅを選択した場合を（Ａ）〜（Ｅ）に示す。
【発明を実施するための形態】
【００１２】
以下、図面を参照して、本実施形態に係る視力検査装置１００を詳細に説明する。図１に本実施形態の視力検査装置１００に用いられる視標面１０であり、視標面１０に表示される視標一覧表１２の一例を示し、０．１〜２．０の視力値を測定する視標が表示されている。図２に視標配置表１４の一例を示し、操作部２００に表示され、視力値と共に各視標が所定の配列で配置された状態の一例を示す。図３に、本実施形態の視力検査装置１００のブロック図を示す。
【００１３】
本実施形態の視力検査装置１００は、被検者に視認させる視力検査用の視標の視標一覧表１２が表示される視標面１０を有する視標表示部４００と、視標表示部４００に表示させる視標を選択可能となるように操作者が操作できる操作部２００と、制御部３００とを具備している。視標配置表１４は操作部２００に示され、操作者が視標を選択可能な表であり、視標面１０に表示予定の視標が所定の配列で配置されたものである。一方、制御部３００は、視標配置表１４に基づいて視標面１０に表示させる視標一覧表１２を制御するものであり、視標一覧表１２における選択された視標を明るく表示し、視標の配置、背景の表示などを制御する。また、制御部３００は、視標一覧表１２を視標表示部４００に表示させる出力部３２０を有している。視標面１０は、視標と視標以外の部分である背景から成る。視標表示部４００の視標面１０は、パソコンやテレビで用いられるディスプレイを用いてもよく、液晶製のディスプレイを用いることができ、視標一覧表１２を表示させることができる。制御部３００が設けられている場所は特に限定されなく、制御部３００は視標表示部４００に接続し、視標表示部４００に内蔵されていてもよい。
【００１４】
本実施形態の視力検査装置１００では、視標表示部４００の視標面１０に表示させる視標および背景の色を制御部３００で制御する。制御部３００は、視標表示部４００の視標面１０に配置される視標があらかじめ黒色で表示されるように制御し、背景がグレーで表示されるように制御する。視標が黒で背景がグレーだと、背景の色と視標の色とのコントラストが低いため、被検者が読み取らない視標も視認可能となる。一方、読み取らせる視標は、その視標の周辺部を明るくし、背景とのコントラストよりも高いコントラストにすることで、被検者は認識できるようになり、読み取ることができる。
【００１５】
操作部２００に示される視標配置表１４は、視標面１０からはみ出す位置にある視標１６、すなわち視標面１０に表示されない視標面外視標１６を有している。以降、視標面１０からはみ出す位置にある視標を視標面外視標１６と呼ぶこともある。図２において、線で囲まれている視標面外視標群１６Ａはすべて、視標面１０からはみ出す位置にある視標面外視標１６が含まれている。さらに点線の枠で囲まれている視標は図１に表示されている表示視標１８であり、表示視標群１８Ａにはすべての表示視標１８が含まれている。このように、視標面外視標１６は視標面１０から縦方向および／または横方向にはみ出す位置に視標が配置される視標である。制御部３００は視標一覧表１２を視標面１０上で移動させて、視標面外視標１６が視標面１０に表示されるように制御する。視標面外視標１６が視標面１０に表示されると表示視標１８となり、表示されている表示視標１８が視標面外に移動して視標面１０に表示されなくなると視標面外視標１６になる。
【００１６】
本実施形態の視力検査装置１００は操作部２００を具備し、操作部２００から入力される信号を制御部３００に送り、操作部２００から入力された信号に応じて制御部３００が視標表示部４００を制御する。また、操作者は、操作部２００を用い、視標表示部４００に表示させる視標を選択可能となる。視標配置表１４は、視標面１０に表示される視標の配置や種類を変更するときに用いられると共に、視標を選択するときに用いられるものである。操作部２００に示された視標配置表１４の視標を選択することで、選択した視標が視標面１０に表示され、さらに他と区別して明るく示されるようにしてもよい。操作部２００における視標配置表１４が示される部分には、液晶製のディスプレイを用いることができる。液晶製のディスプレイであれば、示されている視標配置表１４を瞬時に変更して視標面１０に表示させることができ、ディスプレイに示された視標を選択して視標を表示できる。また、液晶製のディスプレイ以外では、視標配置表１４が印刷などで記載された薄片状の視標シートを用い、視標シートが着脱可能である面を操作部２００に設け、視標シートを着脱して視標面１０における視標一覧表１２の表示が切り替えられるようにしてもよい。
【００１７】
図１に示す視標面１０には、視標配置表１４の視標の配置に基づいて表示される視標一覧表１２が示されている。さらに視標一覧表１２は、視標配置表１４における視標の種類に基づいて視標面１０に表示されるものである。視標一覧表１２は視標面１０に表示される視標を示すものであるが、視標配置表１４は視標面１０に表示されるものではない。視標一覧表１２は単数もしくは複数の視標から成り、視標一覧表１２にある視標は、測定する視力値に合わせて視標配置表１４にある視標が拡大もしくは縮小されたものであり、視標面１０の大きさに合わせて再配置されたものである。視標面１０は限られた面積であるため、特に低視力測定用となる大きい視標が含まれている場合、視標配置表１４における視標をすべて視標一覧表１２として表示させると大きな視標面１０が必要となる。本実施形態の視力検査装置１００の視標配置表１４は視標面外視標１６を有しているので、視標面１０に表示させるすべての視標が視標面１０に表示されるのではなく、視標配置表１４に存在する一部の視標だけが視標面１０に表示される。すなわち、視標配置表１４における視標の一部分が、視標一覧表１２として視標面１０に表示される。
【００１８】
視標面１０に表示される視標一覧表１２は、視標一覧表１２を自動的に生成する生成手段によって生成されたものが視標面１０に表示されてもよく、一つの視標一覧表１２として記憶されたものが視標面に表示されてもよい。そして、例えばランドルト環であれば各視標のランドルト環の方向のように、視標一覧表１２における視標の並び方のパターンは複数あり、自動生成または記憶された視標一覧表１２のデータを操作部２００または制御部３００から抽出して表示する。
【００１９】
本実施形態の視力検査装置１００の操作部２００または制御部３００は、視標一覧表１２を自動的に生成する生成手段を有している。生成手段としては、ランドルト環、ひらがな、かたかな、アルファベットなどの表示させる視標の種類の選択や、ランドルト環であればランドルト環の方向、文字であれば「い」や「く」などの表示させる文字の種類の選択は、無作為に行ってもよい。このとき、例えば、演算装置による乱数発生を利用して、視標種類データから無作為に抽出されて、視標の種類の選択、ランドルト環の方向、文字の種類の選択が行われ、その都度変えて無作為に視標が表示されるように設定すればよい。また、前述のように、視標一覧表１２にある視標は、測定する視力値に合わせて視標配置表１４にある視標が拡大もしくは縮小されたものである。このとき、測定する視力値、および被検者と視標面１０との距離を基に、視力値に対する視標拡大率、視標縮小率のデータがあり、これらのデータから視標面１０に表示される視標の大きさが算出され、拡大もしくは縮小した視標が視標面１０に表示される。このとき、拡大もしくは縮小した視標を視標面１０の大きさを基に、配置可能な個数、視認しやすい配置などの視標の配置に関する視標配置データから、視標一覧表１２を視標面１０に出力して表示させるようにする。
【００２０】
視標一覧表１２を自動的に生成する生成手段は、このような視標種類データ、視標拡大率、視標縮小率のデータ、視標配置データなどを利用して視標一覧表１２を自動的に生成するものである。このような処理は操作部２００もしくは制御部３００において行われてもよく、これにより、自動的に生成された視標一覧表１２は、制御部３００によって視標面１０に表示されるようにしてもよい。視標一覧表１２が自動的に生成されるタイミングの一例としては、制御部３００に備わっている自動更新ボタンを押下したときが挙げられる。
【００２１】
視標配置表１４は、測定できる視力の範囲、視標の種類、配置などが異なる複数種類のものがあってもよい。そして、視標一覧表１２を自動的に生成する生成手段とは別に、これらの視標配置表１４のデータに対して視標一覧表１２のデータが対応されている視標一覧表１２テーブルを操作部２００もしくは制御部３００に記憶させてもよい。さらに、対応する視標一覧表１２を視標面１０に出力して表示させるようにしてもよい。また、操作部２００もしくは制御部３００は、複数種類の視標配置表１４にそれぞれ対応する視標一覧表１２テーブルを記憶する記憶部を有してもよい。操作部２００に記憶部を有する場合、操作部２００は、選択された視標配置表１４を基に、視標一覧表１２テーブルを検索して、対応する視標一覧表１２を抽出し、抽出された視標一覧表１２のデータを制御部３００に送信する。制御部３００は、視標一覧表１２のデータを受信し、出力部３２０より視標一覧表１２として視標表示部４００に表示させる。制御部３００に記憶部を有する場合、制御部３００は、選択された視標配置表１４を基に、視標一覧表１２テーブルを検索して、対応する視標一覧表１２を抽出し、抽出された視標一覧表１２を出力部３２０より視標一覧表１２として視標表示部４００に表示させる。このように、制御部３００は、それぞれの視標配置表１４における視標の種類、配置、大きさに基づき、視標面１０の大きさに合わせて、視標面１０に表示させる視標一覧表１２の視標を再配置でき、さらに視標面１０上で移動して表示できる。
【００２２】
視標配置表１４の視標の配置はあらかじめ設定されていて、視標配置表１４は、複数の同じ視力値を測定する視標からなる群を有し、これを視標グループ２０とする。図２の視標配置表１４に視力値０．１の視標グループ２０を四角い枠で囲って示しているが、その他の視力値の視標グループは省略する。視標配置表１４における視標グループ２０が視標面１０に表示されるとき、制御部３００は、視標グループ２０内の視標を横方向に一列に配置させて表示されるように制御する。視標グループ２０に含まれる視標の数は、特に限定されるものではないものの、従来の視力検査装置における２．０などの高い視力値を測定する視標の数と同様に、５個またはそれ以上の個数であることが好ましい。これにより、低い視力値であっても５個以上の視標が移動させて表示可能となり、より正確な視力値が判定できるようになる。図２の視標配置表１４における視標グループ２０には、５個の視標が含まれていることが示されている。視標の種類は限定されなく、ランドルト環、ひらがな、カタカナ、アルファベットがそれぞれ単独またはこれらが混在していてもよい。
【００２３】
図１の視標一覧表１２に視力値０．１の視標グループ２０を囲って示しているが、その他の視力値の視標グループは省略する。前述のように、制御部３００は視標グループ２０内の視標を視標面１０に表示するとき、横方向に一列に配置させて表示されるように制御している。そして、視標一覧表１２における視標グループ２０は、視力値に合わせて拡大されると視標面１０に収まらなくなることがある。このため、視標面外視標１６を有する場合、仮想的にではあるが、制御部３００は、視標グループ２０内の視標が視標面１０から横方向にはみ出す位置に一列に配置されるように制御する。視標一覧表１２の視標グループ２０内の視標は視標配置表１４と同一の配置であり、種類、形状が同一である。
【００２４】
制御部３００は、表示視標１８および視標面外視標１６が移動するように制御する。視標グループ２０内の視標面外視標１６を表示させるには、視標面１０に表示されている視標グループ２０内の表示視標１８を横方向に移動させ、視標面外視標１６が視標面１０上に表示されるまで横方向に移動させることで可能となる。このとき、少なくとも１つの視標グループ２０内の視標が視標面１０上に表示されるまで横方向に移動させればよい。また、視標グループ２０が複数段で視標面１０に表示される場合は、視標グループ２０同士の配置は視標配置表１４と同じであり、上段および下段の視標グループ２０は視標配置表１４における配置と同じ視標グループ２０が表示される。また、視標面外視標１６が含まれる視標グループ２０同士を連動させてもよく、視標グループ２０内にある表示させたい視標面外視標１６の視標面１０への移動に合わせて、その他の視標グループ２０内の視標を移動させてもよい。連動して移動することで、周囲の視標も移動して、被検者が読み取らない視標であっても全体の視標の配置が理解されやすくなる。そして、従来の視力検査装置１００と違和感なく視標を読み取ることができる。
【００２５】
視標一覧表１２は、視標配置表１４の視標の配置に基づいて表示されるものであり、視標の種類、配置、大きさに基づいて、視標面１０の大きさに合わせて再配置されたものである。このため、図１、図２に示すように、それぞれ視標一覧表１２、視標配置表１４における視力値０．１２５と０．１５との視標グループ２０との配置の関係性を見ると、一致しない。これは、図２の視標配置表１４の０．１２５の視標グループ２０にある左から４番目と５番目の視標が、視標一覧表１２では視標面外視標１６となり、左から１〜３番目の視標が再配置されたためである。ここで、視標配置表１４における、左側から１番目の列、２番目、３番目、４番目、５番目の列をａ列、ｂ列、ｃ列、ｄ列、ｅ列とし、例えば視力値０．１におけるａ列の視標を「０．１−ａ」と呼ぶことにする。
【００２６】
図４、図５、本実施形態の視力検査装置１００に用いられる視標面１０に表示される視標一覧表１２の一例を示す。図４は０．０６〜０．０９の視力値を測定する視標が示され、図５は０．０４〜０．０５の視力値を測定する視標が示されている。図６〜図１０は、視標グループ２０に含まれる視標の数が５個である場合、選択した視標、視標面１０に表示される視標、視標面外視標１６を表したものである。このように、本実施形態の視力検査装置１００では複数の視標グループ２０が、複数段で表示されてもよい。
【００２７】
図６に視標配置表１４で０．１の視標グループ２０を選択した場合の視標面１０に表示される視標一覧表１２を示した説明図であり、０．１−ａ〜ｅを選択した場合を（Ａ）〜（Ｅ）に示す。同様に、図７は視標配置表１４で０．０８の視標グループ２０を選択した場合、図８は視標配置表１４で０．０６の視標グループ２０を選択した場合を示す。図９は視標配置表１４で０．０５の視標グループ２０を選択した場合、図１０は視標配置表１４で０．０４の視標グループ２０を選択した場合を示す。図６〜図１０に示すように、選択した視標が含まれる視標グループ２０に視標面外視標１６が含まれる場合は、横方向に移動して視標面外視標１６が表示されるようにする。また、各視標グループ２０に視標面外視標１６が同数個含まれている場合は連動させてもよく、視標配置表１４における視標の配置に合わせて左右方向に移動可能である。
【００２８】
その他の視標グループ２０内の視標の具体的な移動ルールについては、特に限定されるものではなく、視標面１０の大きさに合わせて視標面１０に表示させる視標の数が変わる場合は、移動ルールを変更してもよい。これらの移動ルールは、本実施形態の視力検査装置１００が有する移動ルールデータに基づき決定される。以下に移動ルールの一例を示す。
【００２９】
視標面外視標１６が含まれる視標グループ２０においてａ〜ｅの各列の視標が選択された場合、それぞれ視標面１０に表示される視標一覧表１２の明るく示される表示領域が異なる。ａ列の場合、視標面１０に表示される視標グループ２０内の視標の個数にかかわらず、左端が明るく表示される。ｂ列の場合も視標グループ２０内の視標の個数にかかわらず左端が明るく表示される。ｃ列の場合、視標面１０に表示される視標グループ２０内の視標の個数が奇数個の場合は、中央が明るく示される。偶数個は特に限定されない。ｄ列、ｅ列の場合は、視標面１０に表示される視標グループ２０内の視標の個数にかかわらず、右端が明るく表示される。ただし、視標面１０に表示される視標グループ２０内の視標の個数が１個の場合はその視標が選択されるだけである。各列の視標が選択された場合に明るく表示される、視標面１０上の表示領域の位置を決めておくことで、視標面外視標１６を表示させるために左右方向に移動しても、全体の位置関係が把握しやすく、どの列の視標が表示されているか理解しやすい。以下、各視標グループ２０の視標を選択した場合の視標面１０に表示される視標を詳しく説明する。
【００３０】
０．１〜２．０の視標グループ２０にある視標を選択した場合、図１の視標一覧表１２、図６の説明図にあるように、視標面外視標１６以外の部分が再配置され、視標面１０に視標一覧表１２として０．１〜２．０の視標が表示される。０．１の視標グループ２０と０．１２５の視標グループ２０は視標面外視標１６を２個含み、０．１５〜２．０の視標グループ２０は視標面外視標１６を含まず、視標面１０に表示される。０．１５〜２．０の視標グループ２０の視標が選択された場合は、視標面外視標１６が含まれないため、制御部３００は、視標面１０上で視標一覧表１２を移動させず、ａ列〜ｅ列の中から選択した視標の周囲を明るくして表示する。また、０．１、０．１２５の視標グループ２０のうち、ａ列を選択した場合は、図６（Ａ）に示すように、ｄ列、ｅ列の視標（視標面外視標１６）は視標面１０に表示されない。ｂ列〜ｄ列を選択した場合は、図６（Ｂ）〜（Ｄ）に示すようにａ列、ｅ列の視標（視標面外視標１６）は視標面１０に表示されず、ｅ列を選択した場合は図６（Ｅ）に示すようにａ列、ｂ列の視標（視標面外視標１６）が視標面１０に表示されない。図６では０．１の視標グループ２０を選択した場合を示しているが、０．１２５を選択した場合でも同様な表示方法で制御される。このように、制御部３００は、視標面１０に複数の視標グループ２０が複数段で表示されるように制御可能であり、その視標グループ２０に視標面外視標１６が含まれる場合は、横方向に移動して視標面外視標１６が表示されるように制御する。また、視標面外視標１６が２個含まれる０．１と０．１２５の視標グループ２０は、同じ数の３個の視標が表示されるため、連動させてもよく、視標配置表１４の配置に合わせて移動可能である。これにより、周囲の視標の配置が理解されやすくなり、従来の視力検査装置１００と違和感なく視標を読み取ることができる。
【００３１】
０．０６〜０．０９の視標グループ２０にある視標を選択した場合、図４、図７、図８にあるように、視標の種類や大きさ、視標面１０の大きさに合わせて、視標面外視標１６以外の部分が再配置される。そして、視標面１０に視標一覧表１２として０．０６〜０．０９の視標が表示される。０．０８、０．０９の視標グループ２０を選択した場合は、０．０６、０．０７の視標グループ２０と共に視標面１０に収まるように表示される。０．０８の視標グループ２０と０．０９の視標グループ２０はそれぞれ視標面外視標１６を２個含んでいて、その他の視標が視標面１０に表示される。一方、０．０６の視標グループ２０と０．０７の視標グループ２０はそれぞれ視標面外視標１６を３個含んでいる。ａ列を選択した場合は図７（Ａ）に示すように、ｂ列〜ｅ列を選択した場合は図７（Ｂ）〜（Ｅ）に示すようにして視標面外視標１６が表示されず、図４のように再配置されて視標面１０に表示される。図７では０．０８の視標グループ２０を選択した場合を示しているが、０．０９を選択した場合でも同様な表示方法で制御される。図８も同様な制御方法であり、ａ列を選択した場合は図８（Ａ）に示すように、ｂ列〜ｅ列を選択した場合は図８（Ｂ）〜（Ｅ）に示すようにして視標面１０に表示される。図７、図８に示すように、０．０６〜０．０９の各視標グループ２０のａ列〜ｅ列の中から１個を選択した場合、視標面１０に表示される視標の範囲は同じである。すなわち、図７（Ａ）と図８（Ａ）とは選択した視標が異なるだけで、視標面１０に表示される視標の範囲は同じである。ｂ列〜ｅ列も同様である。また、視標面外視標１６の個数が同じであれば、それらをまとめて連動させてもよい。
【００３２】
０．０４、０．０５の視標グループ２０を選択した場合でも、今までと同様に扱うことができる。これら視標グループ２０にある視標を選択した場合、図５、図８、図９にあるように、視標の種類や大きさ、視標面１０の大きさに合わせて、視標面外視標１６以外の部分が再配置されて視標面１０に視標一覧表１２として０．０４、０．０５表示される。そして、０．０４、０．０５の視標グループ２０が視標面１０に収まるように表示される。０．０４の視標グループ２０は視標面外視標１６を４個含み、０．０５視標グループ２０は視標面外視標１６を３個含んでいて、その他の視標が視標面１０に表示される。ａ〜ｅの各列を選択した場合は、図９、図１０の（Ａ）〜（Ｅ）に示すように、選択した視標および視標面１０に表示される視標が表示される。図９、図１０に示すように、０．０４、０．０５の視標グループ２０のａ列〜ｅ列の中から１個を選択した場合、視標面１０に表示される視標の範囲は同じである。すなわち、図９（Ａ）と図１０（Ａ）とは選択した視標が異なるだけで、視標面１０に表示される視標の範囲は同じである。ｂ列〜ｅ列も同様である。
【００３３】
０．０３の視標グループ２０を選択した場合は、視標面外視標１６を４個含み、０．０３の視標グループ２０の中から１個の視標が表示され、視標面外視標１６が視標面１０上で表示されるように視標一覧表１２を移動させるように、制御部３００は制御する。０．０３の視標グループ２０は視標面１０の大きさに合わせて０．０３の視標グループ２０のみを表示させてもよく、０．０３および０．０４の視標グループ２０を複数段にして設けることも可能である。
【符号の説明】
【００３４】
１０  視標面
１２  視標一覧表
１４  視標配置表
１６  視標面外視標（視標面からはみ出す位置にある視標）
１８  表示視標
２０  視標グループ
１００  視力検査装置
２００  操作部
３００  制御部
３２０  出力部
４００  視標表示部
【図１】
0006357085.tif 000002
【図２】
0006357085.tif 000003
【図３】
0006357085.tif 000004
【図４】
0006357085.tif 000005
【図５】
0006357085.tif 000006
【図６】
0006357085.tif 000007
【図７】
0006357085.tif 000008
【図８】
0006357085.tif 000009
【図９】
0006357085.tif 000010
【図１０】
0006357085.tif 000011